(57)【要約】【課題】カメラ機能を用いる複数のアプリケーションを有する撮像装置において、起動したアプリケーションに適した明るさを、ユーザに手間をかけずに実現することを目的とする。【解決手段】撮像装置は、撮影部と、光照射部と、記憶部と、光量制御部と、を備える。撮影部は、所定領域を撮影して撮影データを出力する。光照射部は、前記所定領域に光を照射する。記憶部は、前記撮影部を用いる複数のアプリケーションごとに定められた、前記光照射部から照射する光の光量設定値を記憶する。光量制御部は、前記複数のアプリケーションのいずれかが起動した場合に、前記記憶部を参照し、前記光照射部から照射される光の光量を、前記起動したアプリケーションについて定められた光量設定値になるように制御する。【選択図】図２
2017143471.tif 000002
【特許請求の範囲】
【請求項１】
所定領域を撮影して撮影データを出力する撮影部と、
前記所定領域に光を照射する光照射部と、
前記撮影部を用いる複数のアプリケーションごとに定められた、前記光照射部から照射する光の光量設定値を記憶する記憶部と、
前記複数のアプリケーションのいずれかが起動した場合に、前記記憶部を参照し、前記光照射部から照射される光の光量を、前記起動したアプリケーションについて定められた光量設定値になるように制御する光量制御部と、
を備える撮像装置。
【請求項２】
所定領域を撮影して撮影データを出力する撮影部と、
前記所定領域に光を照射する光照射部と、
前記所定領域の照度を検知する照度検知部と、
前記撮影部を用いる複数のアプリケーションごとに定められた照度設定値を記憶する記憶部と、
前記複数のアプリケーションのいずれかが起動した場合に、前記記憶部を参照し、前記照度検知部によって検知される前記所定領域の照度が前記起動したアプリケーションについて定められた前記照度設定値になるように、前記光照射部から照射される光の光量を制御する光量制御部と、
を備える撮像装置。
【請求項３】
前記複数のアプリケーションのいずれかが起動した場合に、前記光照射部から光を照射していない状態で、前記照度検知部によって検知された前記所定領域の照度が前記起動したアプリケーションについて定められた前記照度設定値よりも大きいときに、前記撮影部から出力された撮影データに対して、前記検知された照度と前記照度設定値との差の大きさに応じて暗くする画像処理を行う画像処理部を、
さらに備える請求項２に記載の撮像装置。
【請求項４】
前記所定領域に人体が近づいたことを検知する人体検知部を、さらに備え、
前記光量制御部は、前記人体検知部によって人体が検知されている場合に、前記光照射部から照射される光の光量を増加または減少させるときは、段階的に増加または減少させる請求項１または請求項２に記載の撮像装置。
【請求項５】
前記所定領域内に設置された画像表示部と、
前記撮影部によって前記所定領域を撮影する場合に、前記記憶部に記憶された背景画像、または、外部装置から受信した背景画像を前記画像表示部に表示させる表示制御部と、をさらに備える請求項１または請求項２に記載の撮像装置。
【請求項６】
前記撮影部から出力された撮影データを、前記撮像装置が備える画面表示部、および、外部装置のいずれに出力するかを切り替える画像出力制御部を、さらに備える請求項１または請求項２に記載の撮像装置。
【請求項７】
所定領域を撮影して撮影データを出力する撮影部と、前記所定領域に光を照射する光照射部と、前記撮影部を用いる複数のアプリケーションごとに定められた、前記光照射部から照射する光の光量設定値を記憶する記憶部と、を備える撮像装置による光量制御方法であって、
前記複数のアプリケーションのいずれかが起動した場合に、前記記憶部を参照し、前記光照射部から照射される光の光量を、前記起動したアプリケーションについて定められた光量設定値になるように制御する光量制御ステップを含む光量制御方法。
【請求項８】
所定領域を撮影して撮影データを出力する撮影部と、前記所定領域に光を照射する光照射部と、前記所定領域の照度を検知する照度検知部と、前記撮影部を用いる複数のアプリケーションごとに定められた照度設定値を記憶する記憶部と、を備える撮像装置による光量制御方法であって、
前記複数のアプリケーションのいずれかが起動した場合に、前記記憶部を参照し、前記照度検知部によって検知される前記所定領域の照度が前記起動したアプリケーションについて定められた前記照度設定値になるように、前記光照射部から照射される光の光量を制御する光量制御ステップを含む光量制御方法。
【発明の詳細な説明】
【技術分野】
【０００１】
本発明は、撮像装置、及び光量制御方法に関する。
【背景技術】
【０００２】
従来から、カメラ機能を用いる複数のアプリケーションを有する撮像装置が使用されている。そのような撮像装置としては、例えば、複合機がある。複合機とは、コピー機能、プリンタ機能、スキャナ機能、ファクシミリ機能などの複数の機能を備えている機器である。
【０００３】
複合機において、カメラ機能を用いる複数のアプリケーション（モード）としては、例えば、認証モード、コピーモード、会議モード等がある。認証モードでは、ユーザを撮影して得られた画像を用いて認証（顔認証等）を行う。コピーモードでは、コピー対象の用紙等を撮影してコピーを行う。会議モードでは、ユーザを撮影して得られた画像を遠隔地の機器に送り、また、その遠隔地の機器からその場のユーザを撮影して得られた画像を受信して表示し、テレビ会議を行う。
【０００４】
また、撮影領域が暗い場合に対応するため、複合機が被写体（撮影領域）に光（可視光）を照射する光源を備えている場合もある。このような複合機によれば、例えば、撮影領域が暗いことをセンサで検知した場合に光源から被写体に光源を照射することで、得られる画像が暗くなってしまう可能性をある程度低減できる。
【発明の概要】
【発明が解決しようとする課題】
【０００５】
しかしながら、複数のアプリケーションごとに、撮影に適した明るさ（照度）は異なることが多い。したがって、ユーザは、使用するアプリケーションに適した明るさを実現するために、光源の光量を手動で調整しなければならないことが多く、手間がかかってしまうという問題があった。
【０００６】
そこで、本発明は、上記事情に鑑みてなされたものであって、カメラ機能を用いる複数のアプリケーションを有する撮像装置において、起動したアプリケーションに適した明るさを、ユーザに手間をかけずに実現することを目的とする。
【課題を解決するための手段】
【０００７】
上述した課題を解決し、目的を達成するために、本発明の撮像装置は、撮影部と、光照射部と、記憶部と、光量制御部と、を備える。撮影部は、所定領域を撮影して撮影データを出力する。光照射部は、前記所定領域に光を照射する。記憶部は、前記撮影部を用いる複数のアプリケーションごとに定められた、前記光照射部から照射する光の光量設定値を記憶する。光量制御部は、前記複数のアプリケーションのいずれかが起動した場合に、前記記憶部を参照し、前記光照射部から照射される光の光量を、前記起動したアプリケーションについて定められた光量設定値になるように制御する。
【発明の効果】
【０００８】
本発明によれば、カメラ機能を用いる複数のアプリケーションを有する撮像装置において、起動したアプリケーションに適した明るさを、ユーザに手間をかけずに実現することができるという効果を奏する。
【図面の簡単な説明】
【０００９】
【図１】図１は、実施形態に係る画像データ送受信システムの構成例を示す図である。
【図２】図２は、実施形態に係る撮像装置の外観構成の一例を示す図である。
【図３】図３は、実施形態に係る撮像装置の外観構成の他の例を示す図である。
【図４】図４は、実施形態に係る撮像装置の外観構成の他の例を示す図である。
【図５】図５は、実施形態に係る撮像装置のハードウェア構成の一例を示すブロック図である。
【図６】図６は、実施形態に係る撮像装置の機能構成の一例を示すブロック図である。
【図７】図７は、初期画面の一例を示す図である。
【図８】図８は、コピー画面の一例を示す図である。
【図９】図９は、会議画面の一例を示す図である。
【図１０】図１０は、認証画面の一例を示す図である。
【図１１】図１１は、光量設定画面の一例を示す図である。
【図１２】図１２は、光量設定データの一例を示す図である。
【図１３】図１３は、光量制御処理の一例を示すフローチャートである。
【図１４】図１４は、光量自動調整処理の一例を示すフローチャートである。
【図１５】図１５は、画像処理用のフィルタに関するデータテーブルの一例を示す図である。
【図１６】図１６は、画像処理用のフィルタの一例を示す図である。
【図１７】図１７は、フィルタを用いた画像処理の一例を示すフローチャートである。
【図１８】図１８は、光照射部の光量を段階的に増加させる処理の一例を示すフローチャートである。
【図１９】図１９は、光照射部の光量を段階的に減少させる処理の一例を示すフローチャートである。
【図２０】図２０は、背景設定画面の一例を示す図である。
【図２１】図２１は、背景設定画面の他の例を示す図である。
【図２２】図２２は、表示画面の一例を示す図である。
【図２３】図２３は、表示画面の他の例を示す図である。
【図２４】図２４は、撮影モードにおける処理の一例を示すフローチャートである。
【図２５】図２５は、背景画像をスクリーンに写したときの様子を示す模式図である。
【図２６】図２６は、単色の背景画像を画像表示部に写して撮影しているときの様子を示す模式図である。
【発明を実施するための形態】
【００１０】
以下、添付図面を参照して、本発明に係る実施形態を詳細に説明する。なお、本実施形態では、本発明に係る撮像装置を複合機に適用した例について説明するが、他の装置に適用してもよい。
【００１１】
図１は、実施形態に係る画像データ送受信システム１の構成例を示す図である。図１に示すように、画像データ送受信システム１は、複数台の撮像装置２を有する。撮像装置２は、ＬＡＮ（Local  Area  Network）やインターネット等のネットワークＮに接続され、互いに通信可能に構成される。なお、ネットワークＮに接続される撮像装置２の個数は、特に問わないものとする。また、本実施形態ではテレビ会議を行うために複数の撮像装置２を使用するものとしているが、撮像装置２を単独で使用してもよい。
【００１２】
図２は、撮像装置２の外観構成の一例を示す図である。図２に示すように、撮像装置２は、本体部１０と、撮影ユニット２００と、操作部３０とを備える。本体部１０は、転写紙を供給するための給紙部１１と、給紙部１１から給紙された転写紙に画像を形成する印刷部１２とを有する。印刷部１２は、転写紙に画像を形成すると、図示しない排紙口を介して、本体部１０の中段に設けられた排紙台１３に排紙する。なお、図２の構成では、給紙部１１を３つ有するものとしたが、給紙部１１の個数はこれに限らないものとする。また、給紙部１１の給紙方法や印刷部１２の作像方法は特に問わず、電子写真方式やインクジェット方式等、公知の技術を用いることが可能である。
【００１３】
本体部１０の上面１４上には、原稿台１５が設けられている。原稿台１５には、撮影ユニット２００での撮影対象となる原稿や各種の物体が載置される。なお、原稿台１５の形状や構成は、図２の例に限らないものとする。例えば、原稿台１５を、本体部１０の上面１４と蝶番やスライド機構等で接続することで、図３に示すように、原稿台１５の面積を拡張可能な構成としてもよい。
【００１４】
図３は、撮像装置２の外観構成の他の例を示す図である。この図３では、原稿台１５の右端と上面１４の左端とを蝶番等で接続し、上面１４の左端を支点に原稿台１５を開いた状態を示している。ここで、上面１４と原稿台１５とは、その表面が平坦となるよう接続することが好ましい。この場合、上面１４と原稿台１５とで形成される平面の面積は図２の場合よりも広くなる。そこで、上面１４と原稿台１５とで形成される平面全体を原稿台１５として用いることで、原稿台１５の面積を拡張することができる。
【００１５】
なお、原稿台１５（上面１４）の表面の色や素材は、特に問わないものとする。例えば、原稿台１５の表面に合成樹脂シート等を貼着することで、その表面に絵や文字を書いたり消したりすることが可能なホワイトボードとして用いてもよい。
【００１６】
図２に戻って、撮影ユニット２００は、本体部１０に立設された支柱１６の上に設けられ、カメラ部２０（撮影部の一例）と、光照射部２１と、照度検知部２２と、を備える。カメラ部２０は、撮影領域（後述のように可変）を撮影して撮影データを出力する。具体的には、カメラ部２０は、ＣＣＤ（Charge  Coupled  Device）やＣＭＯＳ（Complementary  MOS）等のイメージセンサを備え、各種の被写体を撮影する。なお、カメラ部２０は、オートフォーカス機能を有することが好ましいが、これに限定されない。
【００１７】
また、カメラ部２０の撮影方向は、支柱１６に設けられた図示しない駆動機構により、パン（左右）及びチルト（上下）方向に変更可能となっている。例えば、撮影方向が原稿台１５に向けられると、カメラ部２０は、原稿台１５上に載置された物品や原稿台１５上に書かれた文字等を撮影する。また、撮影方向が本体部１０の正面（図２の手前側）に向けられると、カメラ部２０は、本体部１０の正面に位置するユーザ等を、顔認証、テレビ会議、セキュリティ対策（ユーザ撮影画像保存）等のために撮影する。人体検知部６０は、赤外線センサ等の人体検知センサであって、撮像装置２の撮影領域にユーザ（人体）が近づいたことを検知する。
【００１８】
なお、本体部１０において、支柱１６を設ける位置は特に問わないものとするが、カメラ部２０が原稿台１５の全面を撮影可能な位置になるように設けることが好ましい。また、支柱１６を伸縮自在な構成とすることで、撮影ユニット２００の上下方向の位置を可変としてもよい。
【００１９】
光照射部２１は、撮影領域（所定領域）に光（可視光線）を照射することで、撮影領域内の被写体を明るくする。光照射部２１は、例えば、ＬＥＤ（Light  Emitting  Diode）により実現できる。
【００２０】
照度検知部２２は、撮影領域の照度を検知する。照度検知部２２は、例えば、照度センサにより実現できる。
【００２１】
操作部３０は、本体部１０に延設された支柱１７の上に設けられている。操作部３０は、ＬＣＤ（Liquid  Crystal  Display）等の表示デバイス３１（画像表示部）と、表示デバイス３１の表示面上に設けられるタッチパネル３２とを有する。
【００２２】
なお、撮像装置２の装置構成は、図２、図３の例に限らないものとする。例えば、撮像装置２に、図４に示すように、シートフィードスキャナ等のスキャナ部４０を備えてもよい。ここで、図４は、撮像装置２の外観構成の他の例を示す図である。図４では、図２に示した上面１４上のスペース部分１４ａに、スキャナ部４０を設けた例を示している。なお、スキャナ部４０の排紙方向は、特に問わず、原稿台１５の方向に排紙してもよいし、下方（本体部１０の右方向）に排紙してもよい。
【００２３】
次に、撮像装置２の内部構成について説明する。図５は、撮像装置２のハードウェア構成の一例を示すブロック図である。図５に示すように、撮像装置２は、システムコントローラ５１を備える。システムコントローラ５１は、ＣＰＵ（Central  Processing  Unit）やＳｏＣ（System-on-a-Chip）、ＲＯＭ（Read  Only  Memory）、ＲＡＭ（Random  Access  Memory）等のコンピュータ構成を有する。システムコントローラ５１は、撮像装置２の動作を統括的に制御する。
【００２４】
システムコントローラ５１には、入出力Ｉ／Ｆ５２、画像入力Ｉ／Ｆ５３、画像出力Ｉ／Ｆ５４、ネットワークＩ／Ｆ５５、ＦＡＸ用Ｉ／Ｆ５６等の各種インタフェースが接続される。
【００２５】
入出力Ｉ／Ｆ５２は、ＵＳＢ（Universal  Serial  Bus）等の所定の規格に準拠した汎用の入出力インタフェースである。画像入力Ｉ／Ｆ５３は、画像（映像）信号出力用のインタフェースである。画像入力Ｉ／Ｆ５３は、例えば、カメラ部２０やスキャナ部４０に接続される。画像出力Ｉ／Ｆ５４は、画像（映像）信号出力用のインタフェースである。画像出力Ｉ／Ｆ５４は、例えば、操作部３０の表示デバイス３１に接続される。ネットワークＩ／Ｆ５５は、ネットワークＮに接続可能なネットワークインタフェースである。ＦＡＸ用Ｉ／Ｆ５６は、ＥＩＡ−５９２等のデータ通信規格に準拠したＦＡＸモデムやネットワークインタフェースである。
【００２６】
また、システムコントローラ５１には、記憶部５７が接続される。記憶部５７は、ＨＤＤ（Hard  Disk  Drive）やＳＳＤ（Solid  State  Drive）等の記憶装置である。記憶部５７は、オペレーティングシステム等の各種プログラムや、後述する各種機能を実現させるための各種プログラム（アプリケーション）の他、各種のデータを記憶する。具体的には、記憶部５７は、例えば、カメラ部２０を用いる複数のアプリケーション（モード）ごとに定められた光量設定レベル、光量設定値、照度設定値を記憶する（詳細は後述）。
【００２７】
また、システムコントローラ５１には、上述した印刷部１２、カメラ部２０、光照射部２１、照度検知部２２、スキャナ部４０、人体検知部６０の他、カメラ位置検出部５８、カメラ位置変更部５９、音声入出力部６１、光量調節部６４等が接続される。ここで、カメラ位置検出部５８及びカメラ位置変更部５９は、上述した支柱１６での駆動機構を構成する。
【００２８】
カメラ位置検出部５８は、例えばジャイロセンサ等であって、カメラ部２０の向き（撮影方向）を検出する。カメラ位置変更部５９は、図示しないモータ等を備え、カメラ部２０の撮影方向をパン（左右）及びチルト（上下）方向に移動させる。なお、カメラ部２０の撮影方向を検知する方法は特に問わず、例えば、エンコーダパルス等の公知技術を用いて検出してもよい。また、カメラ部２０の撮影方向は、システムコントローラ５１の制御に従い、カメラ位置変更部５９が自動で変更する構成としてもよいし、ユーザ自身が手動で変更する構成としてもよい。音声入出力部６１は、マイクロフォン等の収音装置及びスピーカー等の音声出力装置を備え、音声データの入出力を行う。光量調節部６４は、後述する光量制御部８６２からの指示によって、光照射部２１から照射する光の光量（以下、簡潔に「光照射部２１の光量」と称する場合もある。）を調節する機構である。
【００２９】
また、システムコントローラ５１には、操作部コントローラ６２が接続される。操作部コントローラ６２は、ＣＰＵやＳｏＣ、ＲＯＭ、ＲＡＭ等のコンピュータ構成を有し、システムコントローラ５１と協働することで、表示デバイス３１の表示制御や、タッチパネル３２を介したユーザ操作の入力を受け付ける。
【００３０】
図６は、撮像装置２の機能構成の一例を示すブロック図である。図６に示すように、システムコントローラ５１は、各種の管理部及び制御部を備える。これらの管理部及び制御部は、記憶部５７に記憶されたプログラムの実行によりソフトウェア的に、或いはシステムコントローラ５１が備える専用プロセッサ等によりハードウェア的に実現される。
【００３１】
リソース管理部７１は、印刷部１２や撮影ユニット２００、スキャナ部４０等、各アプリケーションが共有する資源（リソース）を管理する。状態管理部７２は、自装置（撮像装置２）の状態を管理する。例えば、状態管理部７２は、給紙部１１や印刷部１２の状態、アプリケーション毎の状態を監視し、例えば、休止状態が所定時間続いた場合に、スタンバイ状態等への省エネ動作に切り替える。
【００３２】
操作部入出力管理部７３は、操作部コントローラ６２との連携動作を管理するための機能部である。例えば、操作部入出力管理部７３は、画像データ等を操作部３０に出力するとともに、操作部３０での操作内容を示す操作データの入力を受け付ける。
【００３３】
カメラ制御部７４は、カメラ部２０の焦点制御やイメージセンサの制御等、カメラ部２０の撮影に係る各種の制御を行う。カメラ位置制御部７５は、カメラ位置検出部５８での検出結果に基づきカメラ位置変更部５９を駆動することで、カメラ部２０の撮影方向を変更する。例えば、カメラ位置制御部７５は、後述するコピーボタンＢ１１６が操作された場合に、カメラ部２０の撮影方向が原稿台１５上に向くようカメラ位置変更部５９を駆動する。また、カメラ位置制御部７５は、後述する会議ボタンＢ１２４が操作された場合に、カメラ部２０の撮影方向が本体部１０の正面方向に向くようカメラ位置変更部５９を駆動する。
【００３４】
印刷制御部７６は、給紙部１１及び印刷部１２を制御することで、転写紙に画像等を印刷する。スキャナ制御部７７は、スキャナ部４０を制御することで、スキャナ部４０にスキャン動作を行わせる。
【００３５】
入出力Ｉ／Ｆ制御部７８は、入出力Ｉ／Ｆ５２と協働することで、入出力Ｉ／Ｆ５２に接続された外部機器との間のデータの入出力を制御する。画像入力Ｉ／Ｆ制御部７９は、画像入力Ｉ／Ｆ５３と協働することで、画像入力Ｉ／Ｆ５３を介した画像データの入力を制御する。画像出力Ｉ／Ｆ制御部８０（画像出力制御部の一例）は、画像出力Ｉ／Ｆ５４と協働することで、画像出力Ｉ／Ｆ５４を介した画像データの出力を制御する。ネットワークＩ／Ｆ制御部８１は、ネットワークＩ／Ｆ５５と協働することで、ネットワークＮに接続された外部機器（他の撮像装置２）との間のデータ通信を制御する。ＦＡＸ用Ｉ／Ｆ制御部８２は、ＦＡＸ用Ｉ／Ｆ５６と協働することで、ＦＡＸ回線に接続された外部機器との間でデータ通信を制御する。音声入出力Ｉ／Ｆ制御部８３は、音声入出力部６１と協働することで、音声データの入出力を制御する。
【００３６】
記憶制御部８４は、記憶部５７等の記憶装置に対する各種データの書き込み（記憶）や、当該記憶装置からの各種データの読み出しを制御する。履歴管理部８５は、操作部３０を介して行われたユーザ操作の履歴や、自装置の状態変化の履歴等を記録する。
【００３７】
画像処理制御部８６（画像処理部の一例）は、カメラ部２０やスキャナ部４０等から入力される画像データに対し、解像度変換、明るさ変更等の各種の画像処理を施す。また、画像処理制御部８６は、ＲＡＭや記憶部５７等に記憶された画像データに対し、解像度変換、明るさ変更等の各種の画像処理を施す。画像処理制御部８６は、例えば、カメラ部２０を用いる複数のアプリケーションのいずれかが起動した場合に、光照射部２１から光を照射していない状態で、照度検知部２２によって検知された撮影領域の照度が起動アプリケーションについて定められた照度設定値よりも大きいときに、カメラ部２０から出力された撮影データに対して、検知された照度と照度設定値との差の大きさに応じて暗くする画像処理を行う（詳細は後述）。また、画像管理制御部８６１は、画像の入出力を管理する。画像管理制御部８６１は、例えば、ユーザ操作に基づいて、カメラ部２０から出力された撮影データを、表示デバイス３１、および、外部装置のいずれに出力するかを切り替える。
【００３８】
光量制御部８６２は、光量調節部６４に対して、光照射部２１の光量を調節する指示を出す。光量制御部８６２は、例えば、カメラ部２０を用いる複数のアプリケーションのいずれかが起動した場合に、記憶部５７を参照し、光照射部２１の光量を、起動アプリケーションについて定められた光量設定値になるように制御する。また、光量制御部８６２は、例えば、カメラ部２０を用いる複数のアプリケーションのいずれかが起動した場合に、記憶部５７を参照し、照度検知部２２によって検知される撮影領域の照度が起動アプリケーションについて定められた照度設定値になるように、光照射部２１の光量を制御する。また、光量制御部８６２は、人体検知部６０によって人体が検知されている場合に、光照射部２１の光量を増加または減少させるときは、段階的に緩やかに増加または減少させる。詳細は後述する。
【００３９】
また、システムコントローラ５１は、記憶部５７に記憶された各種アプリケーションを実行することで、各種の機能部を備える。これらの機能部は、上記した各種の管理部及び制御部と協働することで、アプリケーションに応じた所定の機能を実現する。
【００４０】
コピー機能部８７は、カメラ部２０やスキャナ部４０等から入力される画像データを、転写紙に印刷させるコピー機能を実現する。ＦＡＸ機能部８８は、カメラ部２０やスキャナ部４０等から入力される画像データを、ＦＡＸ回線に接続された外部装置に送信するＦＡＸ機能を実現する。スキャナ機能部８９は、カメラ部２０やスキャナ部４０等から入力される画像データを、記憶部５７や入出力Ｉ／Ｆ５２に接続される外部機器に保存するスキャナ機能を実現させる。プリンタ機能部９０は、カメラ部２０等から入力される画像データを、転写紙に印刷させるプリンタ機能を実現させる。ＯＣＲ（Optical  Character  Recognition）機能部９１は、カメラ部２０やスキャナ部４０等から入力される画像データに含まれた文字列を認識し、文字データに変換するＯＣＲ機能を実現する。
【００４１】
検索機能部９２は、記憶部５７等に保存されている各種のデータから、操作部３０等を介して入力された検索キーの条件に該当するデータを検索する検索機能を実現する。特殊コピー機能部９３は、カメラ部２０やスキャナ部４０等から入力される画像データを、拡大や縮小等して印刷させる特殊コピー機能を実現する。蓄積機能部９４は、外部装置（他の撮像装置２）から送信される画像データ等を、記憶部５７等の記憶装置に蓄積（保存）する蓄積機能を実現する。
【００４２】
会議機能部９５は、他の撮像装置２との間でテレビ会議を行うテレビ会議機能を実現する。観測機能部９６は、カメラ部２０を用いて被写体の観測（例えば、定点観測）を行う観測機能を実現する。プレゼン機能部９７は、ネットワークＮに接続された他の撮像装置２に、カメラ部２０で撮影される画像データを、他の撮像装置２に転送するプレゼン機能を実現する。
【００４３】
一方、操作部コントローラ６２は、表示制御部１０１、入力制御部１０２、ＵＩ制御部１０３を有する。これらの制御部は、操作部コントローラ６２のＲＯＭ等に記憶されたプログラムの実行によりソフトウェア的に、或いは操作部コントローラ６２が備える専用プロセッサ等によりハードウェア的に実現される。
【００４４】
表示制御部１０１は、表示デバイス３１の表示制御を行う。カメラ部２０によって撮影領域を撮影する場合に、表示制御部１０１は、例えば、記憶部５７に記憶された背景画像、または、外部装置から受信した背景画像を、表示デバイス３１に表示させる（詳細は後述）。入力制御部１０２は、タッチパネル３２に対する物理的なユーザ操作（入力）を、その操作内容を示す論理的な入力に変換する。ＵＩ制御部１０３は、表示制御部１０１と協働することで、撮像装置２の操作に係る各種のＵＩ（ユーザインタフェース）を表示デバイス３１に表示させる。例えば、ＵＩ制御部１０３は、撮像装置２の操作に係るホーム画面として、図７に示す初期画面を表示デバイス３１に表示させる。
【００４５】
ここで、図７は、操作部３０の表示デバイス３１に表示される初期画面の一例を示す図である。図７に示すように、初期画面Ｇ１には、撮像装置２の操作に係る各種の操作子が設けられる。例えば、カメラボタンＢ１１１は、カメラ部２０の有効化を指示するための操作子である。初期設定ボタンＢ１１２は、撮像装置２の設定を行うための操作子である。システム状態ボタンＢ１１３は、トナーの残量や画像データの蓄積状態等の状態表示を指示するための操作子である。ログイン／アウトボタンＢ１１４は、ユーザ認証を行うための操作子である。消去ボタンＢ１１５は、一時記憶されたデータの消去を指示するための操作子である。
【００４６】
また、初期画面Ｇ１には、各種アプリケーション（機能部）を有効化するための操作子（ボタン）が設けられている。例えば、コピーボタンＢ１１６は、コピー機能（コピー機能部８７）の有効化を指示するための操作子である。ＦＡＸボタンＢ１１７は、ＦＡＸ機能（ＦＡＸ機能部８８）の有効化を指示するための操作子である。スキャナボタンＢ１１８は、スキャナ機能（スキャナ機能部８９）を有効化するための操作子である。プリントボタンＢ１１９は、プリンタ機能（プリンタ機能部９０）を有効化するための操作子である。ＯＣＲボタンＢ１２０は、ＯＣＲ機能（ＯＣＲ機能部９１）を有効化するための操作子である。検索ボタンＢ１２１は、検索機能（検索機能部９２）を有効化するための操作子である。特殊コピーボタンＢ１２２は、特殊コピー機能（特殊コピー機能部９３）を有効化するための操作子である。蓄積ボタンＢ１２３は、蓄積機能（蓄積機能部９４）を有効化するための操作子である。会議ボタンＢ１２４は、会議機能（会議機能部９５）を有効化するための操作子である。観測ボタンＢ１２５は、観測機能（観測機能部９６）を有効化するための操作子である。プレゼンボタンＢ１２６は、プレゼン機能（プレゼン機能部９７）を有効化するための操作子である。
【００４７】
また、ＵＩ制御部１０３（図６）は、初期画面Ｇ１の操作子が操作されると、その操作子に応じたＵＩを表示する。ＵＩ制御部１０３が表示する初期画面Ｇ１以外のＵＩについて、以下に説明する。
【００４８】
図７の初期画面Ｇ１においてコピーボタンＢ１１６が操作されると、図８のコピー画面Ｇ４に遷移する。図８は、操作部３０の表示デバイス３１に表示されるコピー画面の一例を示す図である。図８に示すように、コピー画面Ｇ４には、上述したログイン／アウトボタンＢ１１４、焦点ボタンＢ２２の他、戻るボタンＢ４１、入力元選択ボタンＢ４２、原稿サイズ指定ボタンＢ４３、数値キーＢ４４、開始ボタンＢ４５、クリアボタンＢ４６が設けられている。戻るボタンＢ４１は、直前の画面（初期画面Ｇ１等）に戻るための操作子である。入力元選択ボタンＢ４２は、カメラ部２０を指定するカメラボタンＢ４２１と、スキャナ部４０を指定するスキャナボタンＢ４２２とを有する。カメラボタンＢ４２１及びスキャナボタンＢ４２２のうちの何れか一方が選択されると、コピー機能部８７は、選択された装置から入力される画像データを用いて、当該画像データのコピー印刷を行う。原稿サイズ指定ボタンＢ４３は、コピー対象となる原稿のサイズを指定するための操作子である。数値キーＢ４４は、コピー枚数等を指定するための操作子である。開始ボタンＢ４５は、コピーの開始を指示するための操作子である。クリアボタンＢ４６は、原稿サイズ指定ボタンＢ４３等を介して設定した設定内容をクリアするための操作子である。
【００４９】
また、コピー画面Ｇ４には、領域Ａ４が設けられている。カメラボタンＢ４２１が選択された場合に、領域Ａ４には、カメラ部２０で撮影された撮影画像が表示される。また、スキャナボタンＢ４２２が操作された場合に、領域Ａ４には、スキャナ部４０でスキャンされた画像が表示される。
【００５０】
このコピー画面Ｇ４において、カメラボタンＢ４２１が選択され、焦点ボタンＢ２２が操作されると、システムコントローラ５１は、領域Ａ４の撮影画像上にガイド画像を透過表示させる。そして、システムコントローラ５１は、領域Ａ４に対するタッチ操作に応じて、カメラ部２０の焦点位置を変更する。
【００５１】
また、コピー画面Ｇ４を用いる場合、原稿サイズ指定ボタンＢ４３を介して指定される原稿サイズに応じて、カメラ部２０の焦点位置を変更する構成としてもよい。この構成を採用する場合、例えば、撮像装置２の記憶部５７に、原稿サイズ毎の焦点位置を定義した焦点位置設定テーブル等を予め記憶しておき、当該焦点位置設定テーブルに基づいて、カメラ部２０の焦点位置を決定する。
【００５２】
次に、図７の初期画面Ｇ１において会議ボタンＢ１２４が操作されると、図９の会議画面Ｇ５に遷移する。図９は、操作部３０の表示デバイス３１に表示される会議画面の一例を示す図である。図９に示すように、会議画面Ｇ５には、領域Ａ５が設けられている。システムコントローラ５１は、この領域Ａ５に、自装置のカメラ部２０で撮影された動画データや、自装置と通信中の他の撮像装置２から送信される動画データを、各撮像装置２の撮影画像として表示させる。図９では、自装置を含む計３台の撮像装置２間でテレビ会議を行う例を想定しており、自装置を含む３台の撮像装置２で撮影された３つの撮影画像Ｍ１〜Ｍ３を領域Ａ５に表示した例を示している。なお、自装置分の撮影画像については、領域Ａ５に表示しない構成としてもよい。
【００５３】
また、領域Ａ５に表示される撮影画像は、選択可能に構成される。ユーザは、例えば撮影画像に対するタッチ操作により、何れか又は全ての撮影画像を選択することが可能となっている。システムコントローラ５１は、後述する各種モードボタンの操作に伴い、撮影画像の選択を受け付けると、選択された撮影画像或いは当該撮影画像を撮影する撮像装置２を、そのモードボタンに対応する処理の対象に設定する。
【００５４】
また、会議画面Ｇ５には、上述したログイン／アウトボタンＢ１１４、焦点ボタンＢ２２の他、戻るボタンＢ５１が設けられる。ここで、戻るボタンＢ５１は、直前の画面に戻るための操作子である。
【００５５】
また、会議画面Ｇ５には、各種のボタンＢ５２〜Ｂ５７が設けられる。表示モードボタンＢ５２は、領域Ａ５に表示される撮影画像の表示形態の変更を指示するための操作子である。例えば、ＵＩ制御部１０３は、表示モードボタンＢ５２が押下される毎に、各撮影画像の表示位置や表示順序を変更する。
【００５６】
接続モードボタンＢ５３は、通信先となる他の撮像装置２を指定するための操作子である。システムコントローラ５１は、接続モードボタンＢ５３の操作を受け付けると、通信先を指定するための画面（図示せず）を表示し、指定された他の撮像装置２との間で通信を確立する。係る画面は、例えば、ネットワークＮに接続された撮像装置２の中から、通信相手となる撮像装置２を選択可能な画面構成を有する。
【００５７】
印刷モードボタンＢ５４は、領域Ａ５に表示された撮影画像の印刷を指示するための操作子である。転送モードボタンＢ５５は、記憶部５７等に記憶された各種データ（会議資料等）の、他の撮像装置２への転送を指示するための操作子である。システムコントローラ５１は、転送モードボタンＢ５５の操作を受け付けると、転送対象のデータを指定するための画面（図示せず）を表示する。そして、システムコントローラ５１は、領域Ａ５の撮影画像を介して選択された他の撮像装置２に、転送対象のデータを転送する。
【００５８】
蓄積モードボタンＢ５６は、領域Ａ５に表示されている撮影画像の蓄積を指示するための操作子である。画質設定ボタンＢ５７は、画像データ（静止画データ）の画質を設定するための操作子である。
【００５９】
次に、図７の初期画面Ｇ１においてログイン／アウトボタンＢ１１４が操作されると、図１０の認証画面Ｇ６に遷移する。図１０は、操作部３０の表示デバイス３１に表示される認証画面の一例を示す図である。図１０に示すように、認証画面Ｇ６には、領域Ａ６が設けられている。領域Ｇ６１にログイン名とパスワードの入力画面が表示され、ユーザは、領域Ｇ６２に表示されるキーボードや数値キーを用いてログイン名とパスワードを入力する。さらに、領域Ｍ４には、カメラ部２０で撮影したユーザの顔画像が表示される。この顔画像は認証に用いられる。また、ログイン時のユーザの顔画像を記録しておけば、何らかの不正行為等があった場合に、後から追跡調査に用いることができる。
【００６０】
次に、図７の初期画面Ｇ１において初期設定ボタンＢ１１２が操作され、さらにその後に表示される光量設定ボタン（不図示）が操作されると、図１１の光量設定画面Ｇ７に遷移する。図１１は、操作部３０の表示デバイス３１に表示される光量設定画面の一例を示す図である。前記したように、複数のアプリケーション（モード）ごとに、撮影に適した明るさ（照度）は異なることが多いので、この光量設定画面Ｇ７でユーザがアプリケーション（モード）ごとに光量を設定できるようにしている。なお、以下において、「モード」とは、図９のボタンＢ５２〜Ｂ５６に対応したモードではなく、カメラ部２０を用いるアプリケーションを指すものとする。
【００６１】
図１１に示すように、光量設定画面Ｇ７では、モードごとに、光量設定レベル、光量制御種別、光量変化速度種別の３つの項目を設定することができる。モードとしては、一例として、認証モード、コピースキャナＦＡＸモード、特殊コピーモード、会議モード、撮影モード、プレゼンモード、観測モードの７つを用意している。なお、プレゼンモードと観測モードは画面の下方に隠れているが、スクロールバーＳＢを操作することで、画面を上方にスクロールさせて見えるようにすることができる。
【００６２】
光量設定レベルは、光量の強さのレベルであり、例えば、ＯＦＦ、１〜１０の１１段階が設けられている。
【００６３】
光量制御種別は、自動制御（自動）と固定制御（固定）の二択として設けられている。自動制御では、撮影領域の照度が、光量設定レベルに対応して設けられている照度設定値になるように、光照射部２１の光量が制御される。一方、固定制御では、光照射部２１の光量が、光量設定レベルに対応して設けられている光量設定値になるように、制御される。
【００６４】
光量変化速度種別は、ＳＬＯＷとＦＡＳＴの二択として設けられている。ＳＬＯＷが選択されると、光照射部２１の光量が増加または減少する場合に、人体検知部６０によってユーザが検知されているときは、光量が段階的に緩やかな速度で変化する。一方、ＦＡＳＴが選択されると、光照射部２１の光量が増加または減少する場合に、人体検知部６０によってユーザが検知されているときであっても、一瞬で変化する。ユーザは、例えば、光量の急激な変化はユーザに不快感や違和感を与える可能性がある等の理由により、光量の急激な変化を避けたい場合であれば、ＳＬＯＷを選択すればよい。
【００６５】
このように、ユーザは、モードごとに、光量設定レベル、光量制御種別、光量変化速度種別の３つの項目を、そのモードの環境や特性等に応じて、自由に設定することができる。
【００６６】
図１２は、光量設定データの一例を示す図である。図１２に示すように、光量設定データでは、光量設定レベルごとに、光量設定値と照度設定値が設けられている。前記した光量制御種別で固定制御が選択されている場合、光量設定レベルに対応した光量設定値によって、光照射部２１の光量が制御される。一方、前記した光量制御種別で自動制御が選択されている場合、光量設定レベルに対応した光量設定値は初期的な設定値として扱われ、その後、撮影環境の照度が照度設定値に近づくように、照度検知部２２により得られる照度を用いたフィードバック制御を用いて、光照射部２１の光量が制御される。
【００６７】
次に、撮像装置２の動作について説明する。まず、図１３を参照して、光量制御の全体処理について説明する。図１３は、光量制御処理の一例を示すフローチャートである。なお、図１３等のフローチャートにおいて、プログラム言語の一般的表記ルール等に基づき、「＝」の表記に関し、Ｂの値をＡに代入することを「Ａ＝Ｂ」と表し、Ａの値とＢの値が等しいこと、および、Ａの設定がＢとなっていることを「Ａ＝＝Ｂ」と表すものとした。
【００６８】
まず、操作部入出力管理部７３は、ユーザによる複数のモード（アプリケーション）のいずれかの選択の操作を受け付ける（ステップＳ１）。ここで、例えば、図７の初期画面Ｇ１においてログイン／アウトボタンＢ１１４がユーザによって操作されたとすると、認証モードが選択されたことになり、図１０の認証画面Ｇ６に遷移する。そして、図１０に示すように、認証画面Ｇ６の領域Ｍ４には、カメラ部２０で撮影したユーザの顔画像が表示される。このとき、光照射部２１からユーザに照射される光について以下の光量制御が行われる。
【００６９】
ステップＳ２において、光量制御部８６２は、記憶部５７から、起動しているモード（例えば認証モード）についての光量設定レベル（ＴＬ）（図１１、図１２）を取り出す。
【００７０】
次に、ステップＳ３において、光量制御部８６２は、ステップＳ２で取り出した光量設定レベル（ＴＬ）に対応する光量設定値ＬＳ（ＴＬ）（図１２）を、光量目標値ＬＳＴに代入する。
【００７１】
次に、ステップＳ４において、光量制御部８６２は、ステップＳ２で取り出した光量設定レベル（ＴＬ）に対応する照度設定値ＬＸ（ＴＬ）（図１２）を、照度目標値ＬＸＴに代入する。
【００７２】
また、光照射部２１の光量を制御するときに使用する光量パラメータとしてＬＳＮを使う。ステップＳ５において、光量制御部８６２は、光量パラメータＬＳＮの初期値を０（ゼロ）にセットする。
【００７３】
次に、ステップＳ６において、光量制御部８６２は、光量設定レベル（ＴＬ）がＯＦＦであるか否かを判定し、Ｙｅｓの場合はステップＳ７に進み、Ｎｏの場合はステップＳ８に進む。
【００７４】
ステップＳ７において、光量制御部８６２は、光量パラメータＬＳＮ（０（ゼロ））を用いて光照射部２１を制御する。このとき、光照射部２１は光を照射しない。ステップＳ７の後、処理を終了する。
【００７５】
ステップＳ８において、光量制御部８６２は、光量変化速度種別がＦＡＳＴか否かを判定し、Ｙｅｓの場合はステップＳ９に進み、Ｎｏの場合はステップＳ１３に進む。
【００７６】
ステップＳ９において、光量制御部８６２は、光量パラメータＬＳＮに光量目標値ＬＳＴを代入する。
【００７７】
ステップＳ９の後、ステップＳ１０において、光量制御部８６２は、光量制御種別が固定制御であるか否かを判定し、Ｙｅｓの場合はステップＳ１１に進み、Ｎｏの場合はステップＳ１２に進む。
【００７８】
ステップＳ１１において、光量制御部８６２は、光量調節部６４を介して、光量パラメータＬＳＮを用いて光照射部２１を制御する。このとき、光照射部２１は光量パラメータＬＳＮ（光量目標値ＬＳＴ）の光量で光を照射する。なお、光量を具体的に制御する方式に関しては、ＰＷＭ（Pulse  Width  Modulation）制御やＤＡコンバータによる電圧制御等、公知技術を適用することができる。ステップＳ１１の後、処理を終了する。
【００７９】
ステップＳ１２において、光量制御部８６２は、光量の自動調整を行う（詳細は図１４で後述）。
【００８０】
ステップＳ１３において、光量制御部８６２は、光量目標値ＬＳＴが光量パラメータＬＳＮ未満（ＬＳＴ＜ＬＳＮ）か否かを判定し、Ｙｅｓの場合はステップＳ１４に進み、Ｎｏの場合はステップＳ１８に進む。
【００８１】
ステップＳ１４において、光量パラメータＬＳＮを光量目標値ＬＳＴまで下げる必要があるので、光量パラメータＬＳＮに光量目標値ＬＳＴを代入する。
【００８２】
ステップＳ１４の後、ステップＳ１５において、光量制御部８６２は、光量制御種別が固定制御であるか否かを判定し、Ｙｅｓの場合はステップＳ１６に進み、Ｎｏの場合はステップＳ１７に進む。
【００８３】
ステップＳ１６において、光量制御部８６２は、光量調節部６４を介して、光量パラメータＬＳＮを用いて光照射部２１を制御する。このとき、光照射部２１は光量パラメータＬＳＮ（光量目標値ＬＳＴ）の光量で光を照射する。ステップＳ１６の後、処理を終了する。
【００８４】
ステップＳ１７において、光量制御部８６２は、光量の自動調整を行う（ステップＳ１２と同様）。ステップＳ１７の後、処理を終了する。
【００８５】
ステップＳ１８において、光量制御部８６２は、光量パラメータＬＳＮに所定値ＬＳＢを加算する（ＬＳＮ＝ＬＳＮ＋ＬＳＢ）。
【００８６】
ステップＳ１９において、光量制御部８６２は、所定時間（例えば０．１秒〜２秒程度）が経過したか否かを判定し、Ｙｅｓの場合はステップＳ２０に進み、Ｎｏの場合はステップＳ１９に戻る。
【００８７】
ステップＳ２０において、光量制御部８６２は、光量調節部６４を介して、光量パラメータＬＳＮを用いて光照射部２１を制御する。このとき、光照射部２１は光量パラメータＬＳＮの光量で光を照射する。ステップＳ２０の後、ステップＳ１３に戻る。
【００８８】
このようにして、モードごとに設定された光量設定レベル、光量制御種別、光量変化速度種別に応じて、光照射部２１の光量を適切に制御することができる。
【００８９】
次に、ステップＳ１２の光量自動調整処理について、図１４を参照して説明する。図１４は、光量自動調整処理の一例を示すフローチャートである。
【００９０】
まず、ステップＳ１２１において、光量制御部８６２は、照度検知部２２により検知（入力）された撮影領域の照度の値を、照度パラメータＬＸＮに代入する。
【００９１】
次に、ステップＳ１２２において、光量制御部８６２は、照度目標値ＬＸＴが照度パラメータＬＸＮよりも大きい（ＬＸＴ＞ＬＸＮ）か否かを判定し、Ｙｅｓの場合はステップＳ１２４に進み、Ｎｏの場合はステップＳ１２３に進む。
【００９２】
ステップＳ１２３において、光量制御部８６２は、照度目標値ＬＸＴが照度パラメータＬＸＮよりも小さい（ＬＸＴ＜ＬＸＮ）か否かを判定し、Ｙｅｓの場合はステップＳ１２７に進み、Ｎｏの場合はＬＸＴとＬＸＮが等しいということであるので処理を終了する。
【００９３】
ステップＳ１２４において、光量制御部８６２は、光量パラメータＬＳＮに所定値ＬＳＢを加算する（ＬＳＮ＝ＬＳＮ＋ＬＳＢ）。
【００９４】
次に、ステップＳ１２５において、光量制御部８６２は、所定時間が経過したか否かを判定し、Ｙｅｓの場合はステップＳ１２６に進み、Ｎｏの場合はステップＳ１２５に戻る。
【００９５】
ステップＳ１２６において、光量制御部８６２は、光量調節部６４を介して、光量パラメータＬＳＮを用いて光照射部２１を制御する。このとき、光照射部２１は光量パラメータＬＳＮの光量で光を照射する。ステップＳ１２６の後、ステップＳ１２１に戻る。
【００９６】
また、ステップＳ１２３でＹｅｓの後、ステップＳ１２７において、光量制御部８６２は、光量パラメータＬＳＮから所定値ＬＳＢを減算する（ＬＳＮ＝ＬＳＮ−ＬＳＢ）。
【００９７】
ステップＳ１２７の後、ステップＳ１２８において、光量制御部８６２は、光量パラメータＬＳＮが０（ゼロ）以下（ＬＳＮ≦０）か否かを判定し、Ｙｅｓの場合はステップＳ１２９に進み、Ｎｏの場合はステップＳ１２５に進む。
【００９８】
ステップＳ１２９において、光量制御部８６２は、光量パラメータＬＳＮ（０以下）を用いて光照射部２１を制御する。このとき、光照射部２１は光を照射しない。ステップＳ１２９の後、処理を終了する。
【００９９】
このように、図１４の光量自動調整処理では、照度目標値ＬＸＴと照度パラメータＬＸＮを比較しながら、照度パラメータＬＸＮが照度目標値ＬＸＴに達するまで、光量パラメータＬＳＮに対して所定時間ごとに所定値ＬＳＢを加算または減算し、光量を調整している。
【０１００】
次に、カメラ部２０から出力された画像（撮影データ）を暗くする画像処理に用いるフィルタについて、図１５、図１６を参照して説明する。図１５は、画像処理用のフィルタに関するデータテーブルの一例を示す図である。図１６は、画像処理用のフィルタの一例を示す図である。光照射部２１によって光を照射していない状態でもカメラ部２０から出力された画像が明るすぎる場合は、画像を暗くする処理を行うことが好ましい。
【０１０１】
図１５に示すように、このデータテーブルでは、差分とフィルタが対応付けられている。差分とは、光照射部２１によって光を照射していない状態で、照度検知部２２によって検知された撮影領域の照度が、そのときに起動しているアプリケーションについて定められた照度設定値よりも大きいときの、前者から後者を減算した値である。
【０１０２】
差分がＤＬ１からＤＬ１０まで大きくなるにつれて、図１６に示すように、対応するフィルタ（フィルタマトリクス）もＤＦ１からＤＦ１０まで、暗くする度合いが強くなっている。
【０１０３】
図１７は、上記のようなフィルタを用いた画像処理の一例を示すフローチャートである。この図１７の処理は、カメラ部２０から出力された画像を表示デバイス３１に表示するとき等に実行される。
【０１０４】
まず、ステップＳ２１において、画像処理制御部８６は、光照射部２１からの光量が確定したか否かを判定し、Ｙｅｓの場合はステップＳ２２に進み、Ｎｏの場合はステップＳ２１に戻る。
【０１０５】
次に、ステップＳ２２において、画像処理制御部８６は、照度検知部２２により検知（入力）された撮影領域の照度の値を、照度パラメータＬＸＮに代入する。
【０１０６】
次に、ステップＳ２３において、画像処理制御部８６は、照度目標値ＬＸＴが照度パラメータＬＸＮ以上である（ＬＸＴ≧ＬＸＮ）か否かを判定し、Ｙｅｓの場合はステップＳ２４に進み、Ｎｏの場合はステップＳ２５に進む。
【０１０７】
ステップＳ２４において、画像処理制御部８６は、画像にフィルタをセットせずに、処理を終了する。
【０１０８】
ステップＳ２５において、画像処理制御部８６は、照度パラメータＬＸＮから照度目標値ＬＸＴを減算した値を、差分パラメータＤＬに代入する（ＤＬ＝ＬＸＮ−ＬＸＴ）。
【０１０９】
ステップＳ２５の後、ステップＳ２６において、画像処理制御部８６は、記憶部５７に記憶されているフィルタに関するデータテーブル（図１５）を参照して、差分パラメータＤＬに対応するフィルタを用いて、フィルタをセットして画像処理を行い、処理を終了する。このようにして、上記のようなフィルタを用いて画像処理することで、明るすぎる画像を適切な明るさにすることができる。
【０１１０】
次に、人体を検知した場合に光照射部２１の光量を段階的に緩やかに増加させる処理について説明する。図１８は、光照射部の光量を段階的に増加させる処理の一例を示すフローチャートである。前記したように、光量変化速度種別でＳＬＯＷを選択すれば、光照射部２１の光量の変化は緩やかになる。しかし、光量変化速度種別でＦＡＳＴを選択していた場合でも、実際に光照射部２１の光量の変化が急激であると、ユーザは不快感や違和感を覚える可能性がある。そこで、特定のモードについてだけでも、光量変化速度種別でＦＡＳＴを選択していた場合でも、光照射部２１の光量の変化を緩やかにすることが好ましい。図１８の処理では、例えば、前記した７つのモードのうち、認証モードと撮影モードについて、光照射部２１の光量を増加させる場合に、緩やかな増加となるように制御する。
【０１１１】
図１８に示すように、まず、ステップＳ３１において、光量制御部８６２は、ログイン状態か否かを判定し、Ｙｅｓの場合はステップＳ３１に戻り、Ｎｏの場合はステップＳ３２に進む。
【０１１２】
ステップＳ３２において、光量制御部８６２は、ログイン画面か否かを判定し、Ｙｅｓの場合はステップＳ３１に戻り、Ｎｏの場合はステップＳ３３に進む。
【０１１３】
ステップＳ３３において、光量制御部８６２は、人体検知部６０によって人体が検知されたか否かを判定し、Ｙｅｓの場合はステップＳ３４に進み、Ｎｏの場合はステップＳ３１に戻る。
【０１１４】
ステップＳ３４において、光量制御部８６２は、認証モードであるか否かを判定し、Ｙｅｓの場合はステップＳ３６に進み、Ｎｏの場合はステップＳ３５に進む。
【０１１５】
ステップＳ３５において、光量制御部８６２は、撮影モードであるか否かを判定し、Ｙｅｓの場合はステップＳ３６に進み、Ｎｏの場合はステップＳ３１に戻る。
【０１１６】
ステップＳ３６において、光量制御部８６２は、記憶部５７から、起動しているモード（例えば認証モード）についての光量設定レベル（ＴＬ）（図１１、図１２）を取り出す。
【０１１７】
次に、ステップＳ３７において、光量制御部８６２は、ステップＳ３６で取り出した光量設定レベル（ＴＬ）に対応する光量設定値ＬＳ（ＴＬ）（図１２）を、光量目標値ＬＳＴに代入する。
【０１１８】
次に、ステップＳ３８において、光量制御部８６２は、ステップＳ３６で取り出した光量設定レベル（ＴＬ）に対応する照度設定値ＬＸ（ＴＬ）（図１２）を、照度目標値ＬＸＴに代入する。
【０１１９】
次に、ステップＳ３９において、光量制御部８６２は、光量パラメータＬＳＮの初期値を０（ゼロ）にセットする。
【０１２０】
次に、ステップＳ４０において、光量制御部８６２は、光量設定レベル（ＴＬ）がＯＦＦであるか否かを判定し、Ｙｅｓの場合はステップＳ４１に進み、Ｎｏの場合はステップＳ４２に進む。
【０１２１】
ステップＳ４１において、光量制御部８６２は、光量パラメータＬＳＮを用いて光照射部２１を制御する。ステップＳ４１の後、処理を終了する。
【０１２２】
ステップＳ４２において、光量制御部８６２は、光量制御種別が固定制御か否かを判定し、Ｙｅｓの場合はステップＳ４３に進み、Ｎｏの場合はステップＳ４８に進む。
【０１２３】
ステップＳ４３において、光量制御部８６２は、光量目標値ＬＳＴが光量パラメータＬＳＮ未満（ＬＳＴ＜ＬＳＮ）か否かを判定し、Ｙｅｓの場合はステップＳ４４に進み、Ｎｏの場合はステップＳ４５に進む。
【０１２４】
ステップＳ４４において、光量パラメータＬＳＮを光量目標値ＬＳＴまで下げる必要があるので、光量パラメータＬＳＮに光量目標値ＬＳＴを代入し、ステップＳ４１に進む。
【０１２５】
ステップＳ４５において、光量制御部８６２は、光量パラメータＬＳＮに所定値ＬＳＢを加算する（ＬＳＮ＝ＬＳＮ＋ＬＳＢ）。
【０１２６】
ステップＳ４５の後、ステップＳ４６において、光量制御部８６２は、所定時間が経過したか否かを判定し、Ｙｅｓの場合はステップＳ４７に進み、Ｎｏの場合はステップＳ４６に戻る。
【０１２７】
ステップＳ４７において、光量制御部８６２は、光量調節部６４を介して、光量パラメータＬＳＮを用いて光照射部２１を制御する。このとき、光照射部２１は光量パラメータＬＳＮの光量で光を照射する。
【０１２８】
ステップＳ４８において、光量制御部８６２は、光量の自動調整を行う（ステップＳ１２と同様）。ステップＳ４８の後、処理を終了する。
【０１２９】
このようにして、光量変化速度種別でＦＡＳＴを選択していた場合でも、認証モードと撮影モードのときは、光照射部２１の光量を段階的に緩やかに増加させることができる。
【０１３０】
次に、撮像装置２を誰も操作しない時間が所定時間続いた場合に、光照射部２１の光量を段階的に緩やかに減少させる処理について説明する。図１９は、光照射部２１の光量を段階的に減少させる処理の一例を示すフローチャートである。光照射部２１の光量を一瞬で０にするのではなく、段階的に緩やかに減少することで、例えば、次のユーザが来た場合で光量を段階的に上げるときに時間が短く済む、あるいは、急激な消灯による不快感や違和感をユーザに与えてしまう可能性を低減する、といったメリットがある。
【０１３１】
まず、ステップＳ５１において、操作部入出力管理部７３は、撮像装置２がユーザによって操作中か否かを判定し、Ｙｅｓの場合はステップＳ５３に進み、Ｎｏの場合はステップＳ５２に進む。
【０１３２】
ステップＳ５２において、光量制御部８６２は、カメラ部２０によって撮影中であるか否かを判定し、Ｙｅｓの場合はステップＳ５３に進み、Ｎｏの場合はステップＳ５４に進む。
【０１３３】
ステップＳ５３において、光量制御部８６２は、光源オフ開始タイマＴＬＯＦＦＳｔを０にリセットし、ステップＳ５１に戻る。
【０１３４】
ステップＳ５４において、光量制御部８６２は、光源オフ開始タイマＴＬＯＦＦＳｔをカウントアップし、ステップＳ５５に進む。
【０１３５】
ステップＳ５５において、光量制御部８６２は、所定の光源オフ開始時間ＴＬＯＦＦが光源オフ開始タイマＴＬＯＦＦＳｔ以下であるか否かを判定し、Ｙｅｓの場合はステップＳ５６に進み、Ｎｏの場合はステップＳ５１に戻る。
【０１３６】
ステップＳ５６において、光量制御部８６２は、光源である光照射部２１の段階的で緩やかなオフ（Ｓｌｏｗオフ）を開始する。
【０１３７】
次に、ステップＳ５７において、光量制御部８６２は、光量パラメータＬＳＮから所定値ＬＳＢを減算する（ＬＳＮ＝ＬＳＮ−ＬＳＢ）。
【０１３８】
次に、ステップＳ５８において、光量制御部８６２は、光量パラメータＬＳＮが０（ゼロ）以下（ＬＳＮ≦０）か否かを判定し、Ｙｅｓの場合はステップＳ５９に進み、Ｎｏの場合はステップＳ６０に進む。
【０１３９】
ステップＳ５９において、光量制御部８６２は、光量パラメータＬＳＮ（０以下）を用いて光照射部２１を制御する。このとき、光照射部２１は光を照射しない。ステップＳ５９の後、処理を終了する。
【０１４０】
ステップＳ６０において、光量制御部８６２は、所定時間が経過したか否かを判定し、Ｙｅｓの場合はステップＳ６１に進み、Ｎｏの場合はステップＳ６０に戻る。
【０１４１】
ステップＳ６１において、光量制御部８６２は、光量調節部６４を介して、光量パラメータＬＳＮを用いて光照射部２１を制御する。このとき、光照射部２１は光量パラメータＬＳＮの光量で光を照射する。ステップＳ６１の後、ステップＳ５７に戻る。
【０１４２】
このようにして、撮像装置２を誰も操作しない時間が所定時間続いた場合に、光照射部２１の光量を段階的に緩やかに減少させることができる。
【０１４３】
次に、撮影の背景設定について説明する。図２０は、背景設定画面の一例を示す図である。例えば、撮影モードでは、背景画面を使用することができる。図２０に示すように、背景設定画面Ｇ７では、領域Ｇ７１に背景設定画面であることが表示される。また、領域Ｇ７２には、出力先として、ＯＦＦ、Display（表示デバイス３１）、外部端子の選択画面が表示される。また、領域Ｇ７３には、表示データ（背景画面）として、単色画像と画像選択の選択画面が表示される。
【０１４４】
領域Ｇ７３で画像選択が選択された場合、領域Ｍ５には、撮像装置２内または外部装置のデータファイルにおける画像選択画面が表示される。また、領域Ｍ６には、選択された画像のプレビュー画面が表示される。
【０１４５】
領域Ｇ７３で単色画像が選択された場合の背景設定画面Ｇ７は、図２１に示す通りである。図２１は、背景設定画面の他の例を示す図である。領域Ｍ５には、単色選択画面が表示される。また、領域Ｍ６には、選択された単色（例えば、白／赤／青／黄／緑／黒のいずれか）のプレビュー画面が表示される。図２０、図２１のような背景設定画面Ｇ７によって、ユーザは、背景画像を選択することができる。
【０１４６】
図２２は、表示画面の一例を示す図である。図２２では、カメラ部２０による撮影の際の背景画像（図２０の領域Ｍ６）を画面Ｇ９として表示デバイス３１に表示した場合の画面を示している。なお、この図２２の画面Ｇ９ではユーザが操作できないので、タッチパネル３２をダブルクリックすることで、図２３の画面Ｇ１０に遷移するようにしている。図２３は、表示画面の他の例を示す図である。図２３では、領域Ｍ８にカメラ部２０による撮影画像を表示し、他の部分に操作子（各ボタン）を配置している様子を示している。これにより、ユーザは、画面Ｇ１０上で操作を行うことができる。また、この図２３の画面Ｇ１０でダブルクリックすることで、図２２の画面Ｇ９に遷移する。
【０１４７】
次に、撮影モードにおける処理の一例について説明する。図２４は、撮影モードにおける処理の一例を示すフローチャートである。
【０１４８】
まず、ステップＳ７１において、カメラ制御部７４は、カメラ撮影イベント（ユーザによる撮影のための操作）があったか否かを判定し、Ｙｅｓの場合はステップＳ７２に進み、Ｎｏの場合はステップＳ７１に戻る。
【０１４９】
ステップＳ７２において、光量制御部８６２は光照射部２１の光量を制御する（図１３）。
【０１５０】
次に、画像処理制御部８６は、背景の出力（図２０、図２１の領域Ｇ７２）がＯＦＦになっているか否かを判定し、Ｙｅｓの場合は処理を終了し、Ｎｏの場合はステップＳ７４に進む。
【０１５１】
ステップＳ７４において、画像処理制御部８６は、背景の入力（図２０、図２１の領域Ｇ７３の表示データ）が単色画像になっているか否かを判定し、Ｙｅｓの場合はステップＳ７５に進み、Ｎｏの場合はステップＳ７６に進む。
【０１５２】
ステップＳ７５において、画像処理制御部８６は、ユーザによる単色の色選択（図２１）を受け付ける。
【０１５３】
ステップＳ７６において、画像処理制御部８６は、ユーザによる画像選択（図２０）を受け付ける。
【０１５４】
ステップＳ７７において、画像処理制御部８６は、背景の出力（図２０、図２１の領域Ｇ７２）が外部端子になっているか否かを判定し、Ｙｅｓの場合はステップＳ７８に進み、Ｎｏの場合はステップＳ７９に進む。
【０１５５】
ステップＳ７８において、画像処理制御部８６は、外部端子に背景画像を出力し、処理を終了する。
【０１５６】
ステップＳ７９において、画像処理制御部８６は、Display（表示デバイス３１）に背景画像を表示する。
【０１５７】
ステップＳ８０において、画像処理制御部８６は、タッチパネル３２上でダブルクリックがあったか否かを判定し、Ｙｅｓの場合はステップＳ８１に進み、Ｎｏの場合はステップＳ８０に戻る。
【０１５８】
ステップＳ８１において、画像処理制御部８６は、ダブルクリックカウンタをインクリメント（１増加）する。
【０１５９】
次に、ステップＳ８２において、画像処理制御部８６は、ダブルクリックカウンタが偶数か否かを判定し、Ｙｅｓの場合はステップＳ８３に進み、Ｎｏの場合はステップＳ８４に進む。
【０１６０】
ステップＳ８３において、画像処理制御部８６は、Display（表示デバイス３１）に背景画像を表示し（図２２）、ステップＳ８０に戻る。
【０１６１】
ステップＳ８４において、画像処理制御部８６は、Display（表示デバイス３１）にアプリ画面を表示し（図２３）、ステップＳ８０に戻る。
【０１６２】
このようにして、画面をダブルクリックするごとに背景画像（図２２）とアプリ画面（図２３）を切り替えることができる。
【０１６３】
図２５は、背景画像をスクリーンに写したときの様子を示す模式図である。図２５に示すように、撮影の際に外部端子から背景画像（図２２）を出力し、画像出力ケーブル１１２を介してプロジェクタ１１１からスクリーン１１３に背景画像を投影することができる。なお、撮像装置２の上に被写体１０４が載せられている。操作部３０に表示されているのは撮影画像と背景画像の合成画像なので、被写体１０４が映っている。一方、スクリーン１１３に表示されているのは背景画像だけなので、被写体１０４が映っていない。
【０１６４】
図２６は、単色の背景画像を表示デバイス３１に写して撮影しているときの様子を示す模式図である。ここでは、操作部３０の代わりに表示部１０５（画像表示部）を設けている。なお、表示部１０５は、例えば、操作部３０を取り外して図示の位置に配置し直したものであってもよい。図２６に示すように、撮影の際に外部端子から単色の背景画像（図２１の領域Ｍ６）を表示部１０５に出力する。そして、カメラ部２０によって表示部１０５の背景画像および被写体１０４を撮影する。その撮影画像を、画像出力ケーブル１１２を介してプロジェクタ１１１からスクリーン１１３に投影する。これにより、スクリーン１１３に背景画像と被写体１０４の両方を映すことができる。
【０１６５】
以上のように、本実施形態の撮像装置２によれば、カメラ部２０を用いる複数のアプリケーションごとに撮影時の光照射部２１の光量を予め設定しておくことで、起動したアプリケーションに適した明るさを、ユーザに手間をかけずに実現することができる。これにより、ユーザは、所望する画質（明るさ）の画像を容易に取得できる。
【０１６６】
また、カメラ部２０を用いる複数のアプリケーションごとに撮影時の照度を予め設定しておくことで、起動したアプリケーションに適した明るさを、ユーザに手間をかけずに実現することができる。これにより、ユーザは、所望する画質（明るさ）の画像を容易に取得できる。また、無駄な光を発することがないので、省エネルギーに寄与できる。
【０１６７】
また、光照射部２１によって光を照射していない状態でもカメラ部２０から出力された画像が明るすぎる場合は、前記したフィルタを用いて画像処理することで、所望する画質（明るさ）の画像を取得することができる。
【０１６８】
また、人体検知部６０が人体（ユーザ）を検知している場合に、光照射部２１の光量を段階的に緩やかに増加、減少させることで、光量の急激な変化によりユーザに不快感や違和感を与える可能性を低減することができる。また、電磁波ノイズによる撮影画像の乱れ等を抑制することができる。
【０１６９】
また、撮影時に背景画像を用いることができるので、フレキシブルな撮影が可能となる。例えば、小さな立体の商品を撮影する際に、様々な背景画像の写真を容易に得ることができる。また、明るい単色の背景画像を選択すれば、その背景画像が光源としての役割も兼ねることができる。
【０１７０】
また、背景画像を、撮像装置２が備える画像表示部、および、外部装置のいずれにも出力できる。これにより、例えば、背景画像を撮像装置２が備える画像表示部に表示させれば（図２６）、狭いスペースでプロジェクタが使えない状況や、あるいは、プロジェクタがない状況でも、所望の画像を得ることができる。
【０１７１】
また、画面をダブルクリックするごとに背景画像（図２２）とアプリ画面（図２３）を切り替えることができるので、ユーザの操作利便性が高い。
【０１７２】
以上、本発明の実施形態を説明したが、上記実施形態は、例として提示したものであり、発明の範囲を限定することは意図していない。上記実施形態は、その他の様々な形態で実施されることが可能であり、発明の要旨を逸脱しない範囲で、種々の省略、置き換え、変更、追加等を行うことができる。また、上記実施形態やその変形は、発明の範囲や要旨に含まれるとともに、特許請求の範囲に記載された発明とその均等の範囲に含まれる。
【０１７３】
例えば、上記実施形態では、本発明を複合機に適用した例を説明したが、これに限らない。具体的には、本発明は、カメラ機能を用いる複数のアプリケーションを有する装置であれば、ＰＣ、スマートフォン等の種々の装置に適用できる。
【符号の説明】
【０１７４】
１  画像データ送受信システム
２、３  撮像装置
１０  本体部
１１  給紙部
１２  印刷部
２０  カメラ部
２１  光照射部
２２  照度検知部
３０  操作部
３１  表示デバイス
３２  タッチパネル
４０  スキャナ部
５１  システムコントローラ
６２  操作部コントローラ
【先行技術文献】
【特許文献】
【０１７５】
【特許文献１】特許第４８５６４０９号公報
【図１】
2017143471.tif 000003
【図２】
2017143471.tif 000004
【図３】
2017143471.tif 000005
【図４】
2017143471.tif 000006
【図５】
2017143471.tif 000007
【図６】
2017143471.tif 000008
【図７】
2017143471.tif 000009
【図８】
2017143471.tif 000010
【図９】
2017143471.tif 000011
【図１０】
2017143471.tif 000012
【図１１】
2017143471.tif 000013
【図１２】
2017143471.tif 000014
【図１３】
2017143471.tif 000015
【図１４】
2017143471.tif 000016
【図１５】
2017143471.tif 000017
【図１６】
2017143471.tif 000018
【図１７】
2017143471.tif 000019
【図１８】
2017143471.tif 000020
【図１９】
2017143471.tif 000021
【図２０】
2017143471.tif 000022
【図２１】
2017143471.tif 000023
【図２２】
2017143471.tif 000024
【図２３】
2017143471.tif 000025
【図２４】
2017143471.tif 000026
【図２５】
2017143471.tif 000027
【図２６】
2017143471.tif 000028